(57)【要約】【課題】本発明は、車椅子の巾に応じてフットレストの足置き板の左右の長さを調節できるようにすることを課題とする。【解決手段】車椅子の前方下部に取り付けられるフットレストであって、根端部を車椅子に枢着されることによって上方に跳ね上げ可能にされている左右一対の足置き板２Ａからなり、該足置き板２Ａは複数個に分割され、分割部２１，２２相互を左右摺動可能に接続することによって該足置き板２Ａの長さを伸縮可能とする。したがっていろいろな巾の車椅子に取付け可能であり、また車椅子の左右の巾を変更しても、該足置き板の左右の長さを調節して該一対の足置き板の間の間隔を調節できる。【選択図】　　　図１１
2004081396.tif 000002
【特許請求の範囲】
【請求項１】
車椅子の前方下部に取り付けられるフットレストであって、根端部を車椅子に枢着されることによって上方に跳ね上げ可能にされている左右一対の足置き板からなり、該足置き板は複数個に分割され、分割部相互を左右摺動可能に接続することによって該足置き板の長さを伸縮可能としたことを特徴とする車椅子のフットレスト。
【請求項２】
該複数個に分割された足置き板の相互接続される一対の分割部の一方にはガイド溝を設け、他方には該ガイド溝に左右摺動可能に係合する係合凸部を設け、該一対の分割部は該ガイド溝と係合凸部により左右摺動可能に接続されている請求項１に記載の車椅子のフットレスト。
【請求項３】
接続される一対の足置き板分割部の一方には複数個の係合手段を左右方向に沿って並設するかまたは１個の係合手段を設け、他方には該係合手段が係合する１個の被係合手段を設けるかまたは複数個の被係合手段を左右方向に沿って並設し、一方の分割部の係合手段および／または他方の分割部の被係合手段のうちの一つを選択して該係合手段を該被係合手段に係合することによって該足置き板の長さを伸縮可能としたことを特徴とする車椅子のフットレスト。
【請求項４】
接続される一対の足置き板分割部の一方には複数個の係合孔を左右方向に沿って並設するかまたは１個の係合孔を設けるかまたは複数個の係合個を左右方向に沿って並設し、一方の分割部の係合孔および／または他方の分割部の係合工のうちの一つを選択して係合孔相互を重ね合わせ、該重ね合わせた係合孔に係止棒を貫通させることによって該足置き板の長さを伸縮可能としたことを特徴とする車椅子のフットレスト。
【発明の詳細な説明】
【０００１】
【産業上の利用分野】
本発明は左右の巾が調節できる車椅子のフットレストに関するものである。
【０００２】
【発明の背景】
近年、利用者の体型に合わせて組み立てられるユニット構造の車椅子（特許２６２０７３７号）や車椅子の左右の巾が調節可能にされている車椅子が提供されている（例えば特願２００１−３２５００７号）。
左右の巾が調節可能にされている車椅子において、図３１に示すように車椅子（９）　の左右の巾を伸縮させると、それに応じて一対のフットレスト（９１）間の間隔も伸縮する。
ここで、該フットレスト（９１）の左右の長さは、車椅子（９）　の左右の巾が縮小された場合に該フットレスト（９１）が相互に干渉しないように、該車椅子（９）　の左右の巾が最も狭いときを基準に設定されている。したがって車椅子（９）　の左右の巾を広くすると、該フットレスト（９１）間の隙間が大きくなってしまい、利用者の足が該フットレスト（９１）間の隙間に落ち込むおそれがある。特に車椅子（９）　の利用者は身体障害者や病弱人、高齢者であるので、足がフットレスト（９１）間の隙間に落ち込むと非常に危険である。
【０００３】
【従来の技術】
そこで従来は種々の異なる長さを有するフットレストを製造し、車椅子の巾に応じて異なる長さのフットレストを取付けたり、取り替えたりしていた。
【０００４】
【発明が解決しようとする課題】
しかし上記従来の方法では種々の異なる長さのフットレストを製造しなければならず、また車椅子の左右の巾を変更した場合には、フットレストを取り替える必要があり、手間とコストがかかるという問題点があった。
【０００５】
【課題を解決するための手段】
本発明は上記従来の課題を解決するための手段として、車椅子（１）　の前方下部に取り付けられるフットレスト（２）　であって、根端部を車椅子（１）　に枢着されることによって上方に跳ね上げ可能にされている左右一対の足置き板（２Ａ，２Ｂ）　からなり、該足置き板（２Ａ，２Ｂ）　は複数個に分割され、分割部（２１，２２）　相互を左右摺動可能に接続することによって該足置き板（２Ａ，２Ｂ）　の長さを伸縮可能とした車椅子のフットレスト（２）　を提供するものである。
【０００６】
該複数個に分割された足置き板（２Ａ，２Ｂ）　の相互接続される一対の分割部（２１，２２）　の一方には、ガイド溝（２１ｅ，２２ｇ）　を設け、他方には該ガイド溝（２１ｅ，２２ｇ）　に左右摺動可能に係合する係合凸部（２１ｇ，２２ｅ）　を設け、該一対の分割部（２１，２２）　は該ガイド溝（２１ｅ，２２ｇ）　と係合凸部（２１ｇ，２２ｅ）　により左右摺動可能に接続されていることが望ましい。
【０００７】
また接続される一対の足置き板分割部（７１，７２，７３）の一方には複数個の係合手段（７２ｋ，７３ｋ）　を左右方向に沿って並設するかまたは１個の係合手段を設け、他方には該係合手段（７２ｋ，７３ｋ）　が係合する１個の被係合手段を設けるかまたは複数個の被係合手段（７１ｋ）　を左右方向に沿って並設し、一方の分割部（７２，７３）　の係合手段（７２ｋ）　および／または他方の分割部（７１）の被係合手段（７１ｋ）　のうちの一つを選択して該係合手段（７２ｋ，７３ｋ）　を該被係合手段（７１ｋ）　に係合することによって該足置き板（７Ａ，７Ｂ）　の長さを伸縮可能とした車椅子のフットレスト（７，７’）を提供するものである。
【０００８】
さらに接続される一対の足置き板分割部（８１，８２）　の一方には複数個の係合孔（８１ｋ）　を左右方向に沿って並設するかまたは１個の係合孔を設け、他方には１個の係合孔（８１ｋ）　を設けるかまたは複数個の係合孔を左右方向に沿って並設し、一方の分割部（８２）の係合孔（８２ｋ）　および／または他方の分割部（８１）の係合孔（８１ｋ）　のうちの一つを選択して係合孔（８１ｋ，８２ｋ）　相互を重ね合わせ、該重ね合わせた係合孔（８１ｋ，８２ｋ）　に係止棒（８３）を貫通させることによって該足置き板（８Ａ，８Ｂ）　の長さを伸縮可能とした車椅子のフットレスト（８）　を提供するものである。
【０００９】
【作用】
本発明の車椅子のフットレスト（２）　は左右一対の足置き板（２Ａ，２Ｂ）　からなり、該足置き板（２Ａ，２Ｂ）　は複数個に分割され、分割部（２１，２２）　相互は左右摺動可能に接続されているので、該左右一対の足置き板（２Ａ，２Ｂ）　の分割部（２１，２２）　をそれぞれ左右摺動させて足置き板（２Ａ，２Ｂ）　の長さを伸縮できる。
したがって車椅子（１）　の左右の巾に応じて左右一対の足置き板（２Ａ，２Ｂ）　間の間隔を使用者の足が落ちないように狭く調節することができる。
【００１０】
該複数個に分割された足置き板（２Ａ，２Ｂ）　の相互接続される一対の分割部（２１，２２）　の一方にはガイド溝（２１ｅ，２２ｇ）　を設け、他方には該ガイド溝（２１ｅ，２２ｇ）　に左右摺動可能に係合する係合凸部（２１ｇ，２２ｅ）　を設け、該一対の分割部（２１，２２）　は該ガイド溝（２１ｅ，２２ｇ）　と係合凸部（２１ｇ，２２ｅ）　とによりガイドされて左右摺動できるので、相互接続されている該分割部（２１，２２）　は簡単かつ円滑にガイド溝によって定められた方向に相対移動させることができる。
またガイド溝（２１ｅ，２２ｇ）　と係合凸部（２１ｇ，２２ｅ）　が係合することにより該分割部（２１，２２）　相互の連結が強固になり、足置き板（２Ａ，２Ｂ）　の剛性が高くなる。
【００１１】
接続される一対の足置き板分割部（７１，７２，７３）の一方には複数個の係合手段（７２ｋ，７３ｋ）　を左右方向に沿って並設するかまたは１個の係合手段を設け、他方には該係合手段（７２ｋ，７３ｋ）　が係合する１個の被係合手段を設けるかまたは複数個の被係合手段（７１ｋ）　を左右方向に沿って並設し、一方の分割部（７２，７３）　の係合手段（７２ｋ）　および／または他方の分割部（７１）の被係合手段（７１ｋ）　のうちの一つを選択して該係合手段（７２ｋ，７３ｋ）　を該被係合手段（７１ｋ）　に係合すれば、所望の係合手段（７１ｋ，７２ｋ，７３ｋ）　を選択することにより該足置き板（７Ａ，７Ｂ）　の長さを伸縮できる。また該分割部（７１，７２，７３）は該係合手段（７１ｋ，７２ｋ，７３ｋ）　を係合して簡単に接続や取り外しができる。
【００１２】
さらに接続される一対の足置き板分割部（８１，８２）　の一方には複数個の係合孔（８１ｋ）　を左右方向に沿って並設するかまたは１個の係合孔を設け、他方には１個の係合孔（８１ｋ）　を設けるかまたは複数個の係合孔を左右方向に沿って並設し、一方の分割部（８２）の係合孔（８２ｋ）　および／または他方の分割部（８１）の係合孔（８１ｋ）　のうちの一つを選択して係合孔（８１ｋ，８２ｋ）　相互を重ね合わせ、該重ね合わせた係合孔（８１ｋ，８２ｋ）　に係止棒（８３）を貫通させて該分割部（８１，８２）　を接続すれば、所望の係合孔（８１ｋ，８２ｋ）　を選択することにより該足置き板（８Ａ，８Ｂ）　の長さを伸縮できる。また該分割部（８１，８２）　は係止棒（８３）により強固に接続される。
【００１３】
【発明の実施の形態】
本発明を図１〜図１１に示す第１実施例によって説明すれば、図１および図２に示す車椅子のフットレスト（２）　は根端部を車椅子（１）　の前方下部に枢着されることによって上方に跳ね上げ可能にされている左右一対の足置き板（２Ａ，２Ｂ）　からなる。図３に示すように該足置き板（２Ａ）はベースステップ（２１）と該ベースステップ（２１）に左右摺動可能に接続される摺動カバー（２２）とからなる。
【００１４】
図３および図４に示すように該ベースステップ（２１）は略直方体の板状の本体（２１ａ）　と、該本体（２１ａ）　の根端部に延設された円筒状のスリーブ部（２１ｂ）　とからなり、該スリーブ部（２１ｂ）　には取付軸孔（２１ｃ）　が設けられている。また該本体（２１ａ）　の上面の根端側には摺動カバー（２２）の根端縁が当接するω字形段部（２１ｄ，２１ｄ）　が設けられ、図５および図６に示すように該本体（２１ａ）　の上面の先端中央からは中心部にかけてガイド溝（２１ｅ）　が設けられ、該ガイド溝（２１ｅ）　の底面には固定ボルト（２３）が貫通する長孔（２１ｆ）　が設けられている。
【００１５】
図７に示す摺動カバー（２２）はベースステップ（２１）と同一形状のカバー本体（２２ａ）　と、該カバー本体（２２ａ）　の先端および前後端の端縁が内側に折り曲げられて形成された断面コの字形のガイド溝（２２ｇ）　とからなり、根端側の端縁にはベースステップ（２１）のω字形段部（２１ｄ，２１ｄ）　に適合する形状のω字形切欠き（２２ｄ，２２ｄ）　が設けられている。該ω字形切欠き（２２ｄ，２２ｄ）　は該摺動カバー（２２）をベースステップ（２１）根端に取り付けたときω字形段部（２１ｄ，２１ｄ）　に当接する。
【００１６】
また図８に示すように該摺動カバー（２２）の下面にはベースステップ本体（２１ａ）　上面のガイド溝（２１ｅ）　に係合するガイド凸条（２２ｅ）　が設けられ、該ガイド凸条（２２ｅ）　の先端近傍には固定ボルト（２３）が螺合するボルト孔（２２ｆ）　が設けられている。
【００１７】
該摺動カバー（２２）はガイド凸条（２２ｅ）　をベースステップ（２１）のガイド溝（２１ｅ）　に係合し、ガイド溝（２２ｇ）　の両端をベースステップ本体（２１ａ）　の前後の側縁部（２１ｇ，２１ｇ）　に係合してそのまま根端側に摺動させて取り付けられる。このようにしてω字形切欠き（２２ｄ，２２ｄ）　がベースステップ本体（２２ａ）　のω字形段部（２１ｄ，２１ｄ）　に当接したら、該摺動カバー（２２）は図９に示すようにベースステップ本体（２１ａ）　の下側から長孔（２１ｆ）　を介して摺動カバー（２２）のボルト孔（２２ｆ）　に固定ボルト（２３）を螺合して固定される。
【００１８】
該フットレスト（２）　は例えば図１および図２に示す車椅子（１）　に取り付けられる。該車椅子（１）　は左右側枠（１１，１１）　を例えば２個のＸ枠（１２）で連結され該側枠（１１，１１）　間に座部（４）　および背もたれ部（３）　を有する構成であり、該Ｘ枠（１２）の下端は上下位置を変更して取付け可能にされている。したがって該Ｘ枠（１２）を回動させて該Ｘ枠（１２）の間隔を調節するとともに、該Ｘ枠（１２）の下端取付け位置を変更することにより左右側枠（１１，１１）　の間隔、すなわち車椅子（１）　の左右の巾調節が可能とされている。
【００１９】
該左右側枠（１１，１１）　の前端中程からは下方に向けてフットレスト支持パイプ（１３）が差し出されており、該フットレスト支持パイプ（１３）にはフットレストポスト（１４）を介してフットレスト（２）　が取り付けられている。
図１０に示すようにフットレストポスト（１４）はパイプ本体（１４ａ）　と該本体（１４ａ）　の下部から水平方向に差し出された取付軸（１４ｂ）　とからなり、縮径されたパイプ本体（１４ａ）　の上部がフットレスト支持パイプ（１３）に内挿固定され、該取付軸（１４ｂ）　にはフットレスト（２）　の足置き板（２Ａ，２Ｂ）　がスリーブ部（２１ｂ）　の取付け軸孔（２１ｃ）　を介して枢着され上方に跳ね上げ可能に取り付けられている。
【００２０】
該足置き板（２Ａ，２Ｂ）　の左右の長さを調節するには固定ボルト（２３）を緩めて、図１１に示すように摺動カバー（２２）を摺動可能にする。そして該摺動カバー（２２）を所望の位置に調節した後、固定ボルト（２３）を再び締め付けて固定する。このときベースステップ（２１）にはω字形段部（２１ｄ，２１ｄ）　が、摺動カバー（２２）にはω字形切欠き（２２ｄ，２２ｄ）　が設けられているので、該足置き板（２Ａ，２Ｂ）　の左右の長さを大きくしたときに該摺動カバー（２２）端部と該ベースステップ（２１）端部の間にできる溝は直線状にならず、使用者が足を乗せたときの違和感を和らげる。該ω字形段部およびω字形切欠きは３個以上の山と谷を組み合わせた形状にしてもよい。
【００２１】
本実施例においてベースステップ本体（２１ａ）　の前後の端縁部（２１ｇ，２１ｇ）　およびガイド凸条（２２ｅ）　は係合凸部に該当するが、さらに該端縁部に図１２に示すようなガイド凸条（２１ｈ，２１ｈ）　を設け、摺動カバー（２２）の前後端内壁には該ガイド凸条（２１ｈ，２１ｈ）　に係合するガイド溝（２２ｈ，２２ｈ）　を設けてもよい。
このようにするとベースステップ（２１）と摺動カバー（２２）の連結が強固になり、足置き板の強度が増す。
また係合凸部は必ずしも連続した凸条でなく、断続的に設けられてもよい。
【００２２】
図１３〜図１９には他の実施例を示す。図１３に示す車椅子のフットレスト（７）　は根端部を車椅子に枢着されることによって上方に跳ね上げ可能にされている左右一対の足置き板（７Ａ，７Ｂ）　からなる。該足置き板（７Ａ，７Ｂ）　はベースステップ（７１）と該ベースステップ（７１）に係合部（７１ｋ，７２ｋ）　を介して左右相対位置変更可能に接続される係合カバー（７２）とからなる。
【００２３】
該ベースステップ（７１）は略直方体の板状の本体（７１ａ）　と、該本体（７１ａ）　の根端部に延設された円筒状のスリーブ部（７１ｂ）　とからなり、該スリーブ部（７１ｂ）　には取付軸孔（７１ｃ）　が設けられている。また該本体（７１ａ）　の上面の根端側には係合カバー（７２）の先端縁が当接する段部（７ｄ）が設けられ、図１４に示すように該本体（７１ａ）　には２個の係合凸部（７１ｋ，７１ｋ）　が設けられている。
【００２４】
図１５〜図１７に示すように係合カバー（７２）はベースステップ本体（７１ａ）　と同一形状で板状のカバー本体（７２ａ）　と該カバー本体（７２ａ）　の先端および前後端の端縁が下側に垂下して形成されるフランジ（７２ｆ）　とからなる。該カバー本体（７２ａ）　の下面には左右一列にベースステップ本体（７１ａ）　の係合凸部（７１ｋ）　に係合する４個の係合凹部（７２ｋ）　が設けられている。
【００２５】
該係合カバー（７２）は該係合凸部（７１ｋ）　と該係合凹部（７２ｋ）　を係合してベースステップ（７１）に取り付けられる。該係合凸部（７１ｋ）　と係合凹部（７２ｋ）　はそれぞれ左右に複数個設けられており、図１８および図１９に示すように該係合凸部（７１ｋ）　と係合凹部（７２ｋ）　のうちから所望の係合凸部（７１ｋ）　と係合凹部（７２ｋ）　とを選択して係合することにより足置き板（７Ａ）の左右の長さを調節することができる。
【００２６】
該フットレスト（７）　は例えば前記と同様に左右の巾調節可能な車椅子（１）　に取り付けられる。
該フットレスト（７）　の左右の長さを車椅子（１）　の左右の巾に応じて調節するには係合カバー（７２）の係合凹部（７２ｋ）　をベースステップ（７１）の係合凸部（７１ｋ）　から脱嵌して取り外し、車椅子（１）　の左右の巾を調節しつつ所望の係合凹部（７２ｋ）　と係合凸部（７１ｋ）　とを係合して係合カバー（７２）をベースステップ（７１）に取り付ける。
本実施例のフットレストは、特に段階的に左右の巾調節が可能な車椅子において、係合部（７１ｋ，７２ｋ）　の間隔を該車椅子の巾調節の可変長に適合するよう設定すると有用である。
【００２７】
本実施例において図２０および図２１に示すように一対の足置き板（７Ａ，７Ｂ）　に係合する係合カバー（７３）を共通にしたフットレスト（７’）としてもよい。図２１に示すように該係合カバー（７３）は一対の足置き板（７Ａ，７Ｂ）　に架橋する長さを有し、下面には左右一対各４個の係合凹部（７３ｋ，７３ｋ，７３ｋ，７３ｋ，７３ｋ，７３ｋ，７３ｋ，７３ｋ）　が設けられている。
【００２８】
本係合カバー（７３）の場合、図２２および図２３に示すように車椅子（１）　の左右の巾に応じて該足置き板（７Ａ，７Ｂ）　の左右の長さは伸縮するとともに、該係合カバー（７３）の先端は他方の足置き板（７Ｂ，７Ａ）　に介設されるので、足置き板（７Ａ，７Ｂ）　の間には隙間は生じない。
また係合カバー（７３）が一対の足置き板（７Ａ，７Ｂ）　を接合するので、車椅子の左右の側枠の連結点が増加しフレームの剛性が増し車椅子の構造強度が高くなる。したがって車椅子の安定性および安全性が高くなる。
【００２９】
図２４〜図３０にはさらに他の実施例を示す。図２４に示す車椅子のフットレスト（８）　は根端部を車椅子に枢着されることによって上方に跳ね上げ可能にされている左右一対の足置き板（８Ａ）からなる（他方は図示しない）。該足置き板（８Ａ）はベースステップ（８１）と該ベースステップ（８１）に係合孔（８１ｋ，８２ｋ）　を介して係止棒（８３）により左右相対位置変更可能に接続されるカバー部（８２）とからなる。
【００３０】
該ベースステップ（８１）は略直方体の板状の本体（８１ａ）　と、該本体（８１ａ）　の根端部に延設された円筒状のスリーブ部（８１ｂ）　とからなり、該スリーブ部（８１ｂ）　には取付軸孔（８１ｃ）　が設けられている。また該本体（８１ａ）　の上面の根端側にはカバー部（８２）の先端縁が当接する段部（８ｄ）が設けられ、図２５に示すように該本体（８１ａ）　には１個の係合孔（８１ｋ）　が設けられている。
【００３１】
図２６〜図２８に示すカバー部（８２）はベースステップ本体（８１ａ）　と同一形状で板状のカバー本体（８２ａ）　と該カバー本体（８２ａ）　の先端および前後端の端縁が下側に垂下して形成されるフランジ（８２ｆ）　とからなる。該カバー本体（８２ａ）　の下面には左右一列にベースステップ本体（８１ａ）　の係合孔（８１ｋ）　に重ね合わせられる３個の係合孔（８２ｋ）　が設けられ、該係合孔（８２ｋ）　内周には螺溝が形成されている。
【００３２】
該カバー部（８２）は該係合孔（８１ｋ）　と該係合孔（８２ｋ）　を重ね合わせて、該重ね合わせた係合孔（８１ｋ，８２ｋ）　に係止棒（８３）を貫通させることによってベースステップ（８１）に取り付けられる。該係合孔（８２ｋ）　は左右に複数個並設されており、図２９および図３０に示すように該係合孔（８２ｋ）　のうちから所望の係合孔（８２ｋ）　を選択して係合孔（８１ｋ）　と重ね合わせることにより足置き板（８Ａ）の左右の長さを調節することができる。
【００３３】
該フットレスト（８）　は例えば前記と同様に左右の巾調節可能な車椅子（１）　に取り付けられる。
該フットレスト（８）　の左右の長さを車椅子（１）　の左右の巾に応じて調節するには係止棒（８３）を取り外してカバー部（８２）を左右に移動させる。そして所望の係合孔（８２ｋ）　を係合孔（８１ｋ）　に重ね合わせて該係止棒（８３）を該重ね合わせた係合孔（８１ｋ，８２ｋ）　に貫通させて該カバー部（８２）をベースステップ（８１）に接続固定する。
本実施例のフットレスト（８）　も、特に段階的に左右の巾調節が可能な車椅子において、係合孔（８１ｋ、８２ｋ）の間隔を該車椅子の巾調節の可変長に適合するよう設定すると有用である。
本実施例においても一対の足置き板に取り付けるカバー部を共通にしてもよい。
【００３４】
【発明の効果】
本発明のフットレストは、車椅子の巾に応じて足置き板の左右の長さを調節できる。したがっていろいろな巾の車椅子に取付け可能である。また、車椅子の左右の巾を変更しても、足置き板の左右の長さを調節して一対の足置き板の間の間隔を調節できる。
【図面の簡単な説明】
図１〜図１２は本発明の一実施例を示すものである。
【図１】車椅子正面図
【図２】車椅子側面図
【図３】足置き板分解斜視図
【図４】ベースステップ平面図
【図５】ベースステップ説明側面図
【図６】ベースステップＡ−Ａ断面図
【図７】摺動カバー下方斜視図
【図８】摺動カバーＢ−Ｂ断面図
【図９】摺動カバー取付け状態断面図
【図１０】フットレスト取付け状態斜視図
【図１１】摺動カバー摺動状態説明斜視図
【図１２】第１実施例の変形例の断面図図１３〜図１９は本発明の他の実施例を示すものである。
【図１３】斜視図
【図１４】ベースステップＣ−Ｃ断面図
【図１５】係合カバー下方斜視図
【図１６】係合カバーＤ−Ｄ断面図
【図１７】係合カバーＥ−Ｅ断面図
【図１８】足置き板短縮状態断面図
【図１９】足置き板伸長状態断面図図２０〜図２３は係合カバー先端部を共通にした実施例を示すものである。
【図２０】斜視図
【図２１】係合カバー下方斜視図
【図２２】足置き板短縮状態断面図
【図２３】足置き板伸長状態断面図図２４〜図３０は本発明の更に他の実施例を示すものである。
【図２４】斜視図
【図２５】ベースステップＦ−Ｆ断面図
【図２６】カバー部下方斜視図
【図２７】カバー部Ｇ−Ｇ断面図
【図２８】カバー部Ｈ−Ｈ断面図
【図２９】足置き板短縮状態断面図
【図３０】足置き板伸長状態断面図
【図３１】従来例の車椅子使用状態正面図
【符号の説明】
１　　　　　　　　　　　　　　車椅子
２，７，７’，８　　　　　　　　　　　　　　　　　　　フットレスト
２Ａ，２Ｂ，７Ａ，７Ｂ，８Ａ，８Ｂ　　　　　　足置き板
２１，７１，８１　　　　　　　　　　　　　　　　分割部（ベースステップ）
２１ｅ，２２ｇ　　　　　　　　　　　ガイド溝
２１ｆ，２２ｆ　　　　　　　　　　　　　　　　　　　　　孔
２１ｇ，２２ｅ　　　　　　　　　　　係合凸部（端縁部、ガイド凸条）
２２　　　　　　　　　　　　　　　　　　　　　　　　　　分割部（摺動カバー）
７２，７３　　　　　　　　　　　　分割部（係合カバー）
７１ｋ，７２ｋ，７３ｋ　　　　　　　　　係合部
８１ｋ，８２ｋ　　　　　　　　　　　　　係合孔
８２　　　　　　　　　　　　　　　　　　　　　　　　　　分割部（カバー部）
８３　　　　　　　　　　　　　係止棒（固定ボルト）
【図１】
2004081396.tif 000003
【図２】
2004081396.tif 000004
【図３】
2004081396.tif 000005
【図４】
2004081396.tif 000006
【図５】
2004081396.tif 000007
【図６】
2004081396.tif 000008
【図７】
2004081396.tif 000009
【図８】
2004081396.tif 000010
【図９】
2004081396.tif 000011
【図１０】
2004081396.tif 000012
【図１１】
2004081396.tif 000013
【図１２】
2004081396.tif 000014
【図１３】
2004081396.tif 000015
【図１４】
2004081396.tif 000016
【図１５】
2004081396.tif 000017
【図１６】
2004081396.tif 000018
【図１７】
2004081396.tif 000019
【図１８】
2004081396.tif 000020
【図１９】
2004081396.tif 000021
【図２０】
2004081396.tif 000022
【図２１】
2004081396.tif 000023
【図２２】
2004081396.tif 000024
【図２３】
2004081396.tif 000025
【図２４】
2004081396.tif 000026
【図２５】
2004081396.tif 000027
【図２６】
2004081396.tif 000028
【図２７】
2004081396.tif 000029
【図２８】
2004081396.tif 000030
【図２９】
2004081396.tif 000031
【図３０】
2004081396.tif 000032
【図３１】
2004081396.tif 000033